(57)【要約】      （修正有）【課題】緩み止めナットのゆるみを確実に阻止する。【解決手段】締付ナット８の上面２箇所より、ボルト中心に向う傾斜溝９を設け、環状円板１０には、その底面に楔形突出部１２を設け、その外周、内周より切込を設け、環状円板に柔軟性を付与し、締付ナットをボルト１に締結後、環状円板を楔形突出部が締付ナットの溝９に嵌合するよう、締付ナット上面に載せ、緩み止めナット１７を締め込むことにより、環状円板の楔形突出部は締付ナットの傾斜溝に沿い押下され、環状円板本体はボルト中心に向い撓むことにより、楔形突出部も同方向に押出され、楔形突出部側面の縦筋刃１３はボルトの円周溝付円筒部３にほぼ直交することにより締付ナットの戻り回転は阻止される。環状円板の楔形突出部は締付ナットの傾斜溝に嵌合されているため、菊形外歯１４を緩み止めナット鍔部１８の外周の切溝に噛合せ、緩み止めナットはこの環状円板を介し締付ナットに固定される。【選択図】図１
2018063044.tif 000002
【特許請求の範囲】
【請求項１】
ボルトに締め込むナットの緩み止めの構造において、ねじ込み又は圧入嵌合され、止ねじ（６）等により下部材（２２）に植込まれたボルト（１）の中間鍔（７）の上に、上部材（２０）を挿入する空間をあけて締付用ねじ（２）を設け、更にその上方に締付用ねじの谷径よりやや小径の数本の円周溝付円筒部（３）及び緩み止め用ねじ（４）を設ける、一方締付ナット（８）にはその上面の相対する２箇所より、ボルトの中心に向う下勾配の傾斜溝（９）を設け、その締付ナットに載せる環状円板（１０）には、その底面の相対する２箇所に楔形突出部（１２）を設け、そしてその外周には多数の菊形の外歯（１４）を設けた後、その外周及び内周より数ヶ所の切込（１５）及び（１６）を設けて、この環状円板に柔軟性を与えて、その底面の楔形突出部が外力によりボルトの中心部に向い僅かに移動しうるようにしておき、締付ナット（８）を上部材（２０）の上より強くボルト（１）に締め込んだ後、環状円板（１０）をその楔形突出部が締付ナットの傾斜溝（９）に嵌合するように、締付ナットの上面に載せ、その上より緩み止めナット（１７）を強く締め込むことにより、環状円板の楔形突出部は締付ナットの傾斜溝に沿うて押下げられ、同時に環状円板本体はボルトの中心に向って少し撓むことにより、楔形突出部もその方向に押出されて、その楔形突出部側面の数本の縦筋刃（１３）はボルトの円周溝付円筒部（３）にほぼ直交して食い込まされることにより締付ナットの戻り回転は確実に阻止される、このとき環状円板の楔形突出部が締付ナットの傾斜溝に嵌合されているため、環状円板の菊形の外歯（１４）を緩み止めナットの鍔部外周の切溝（１９）に折り曲げて噛合せることにより、緩み止めナットはこの環状円板を介して締付ナットに固定され、振動等の外力により緩むことは阻止される、これにより締付ナットの締め力を確実に保持しうるようにしたナットの緩み止めの構造。
【発明の詳細な説明】
【技術分野】
【０００１】  本発明は強い締付け力を必要とする並目ねじボルトに締め込んだナットの緩み止めを行う方法である。
【背景技術】
【０００２】  緩み止めのためボルトにナットを固定する方法としては、ナットとボルトを貫通する共孔を開けここに割ピンを押込んで固定する方法があるが、この穿孔は現地で行うこともあり面倒であり、又一度ねじ戻しの後、再びナットを締めこむときは合致しない欠点があり、又ころがり軸受を押え込む時に使用するナットは細目ねじであり、大きな荷重には耐えきれず、しかも軸には溝加工を必要とするため広範囲に使用する並目ねじボルトに用いることは不適である、又ねじ面の摩擦力を高めるためのタブルナット式の緩み止めナットもあるが、この効果は不明である。
【発明の開示】
【発明が解決しようとする課題】
【０００３】  本発明は強力な締付け力を必要とする並目ねじのボルトに予め溝加工又は穿孔を施すことなく、緩み止めナットを締め込むことにより、締付ナットの傾斜溝に環状円板の楔形突出部を降下させ、その縦筋刃をボルトの円周溝付円筒部に食い込ませると共に環状円板により緩み止めナットのゆるみを確実に阻止するようにする。
【課題を解決するための手段】
【０００４】  ねじ込み又は圧入嵌合され、止ねじ６等により下部材２２に植込まれたボルト１の中間鍔７の上に、上部材２０を挿入する空間をあけて締付用ねじ２を設け、更にその上方に締付用ねじの谷径よりやや小径の数本の円周溝付円筒部３及び緩み止め用ねじ４を設ける。【０００５】  一方締付ナット８にはその上面の相対する２箇所より、ボルトの中心に向う下勾配の傾斜溝９を設け、その締付ナットに載せる環状円板１０には、その底面の相対する２箇所に楔形突出部１２を設け、そしてその外周には多数の菊形の外歯１４を設けた後、その外周及び内周より数ヶ所の切込１５及び１６を設けて、この環状円板に柔軟性を与えて、その底面の楔形突出部が外力によりボルトの中心部に向い僅かに移動しうるようにしておき、締付ナット８を上部材２０の上より強くボルト１に締め込んだ後、環状円板１０をその楔形突出部が締付ナットの傾斜溝９に嵌合するように、締付ナットの上面に載せ、その上より緩み止めナット１７を強く締め込むことにより、環状円板の楔形突出部は締付ナットの傾斜溝に沿うて押下げられ、同時に環状円板本体はボルトの中心に向って少し撓むことにより、楔形突出部もその方向に押出されて、その楔形突出部側面の数本の縦筋刃１３はボルトの円周溝付円筒部３にほぼ直交して食い込まされることにより、締付ナットの戻り回転は確実に阻止される。【０００６】  そして環状円板の楔形突出部は締付ナットの傾斜溝に嵌合されているため、その菊形の外歯１４を緩み止めナットの鍔部１８の外周の切溝１９に噛合せることにより、緩み止めナットはこの環状円板を介して締付ナットに固定され、振動等の外力により緩むことを阻止することができる。
【発明の効果】
【０００７】  本発明の実施により並目ねじボルトにナットを強く締め込んだ後、確実な緩み止めが可能になり、鉄道車両等振動の激しいナットの脱落を防止しうるようになる。
【図面の簡単な説明】
【０００８】
【図１】本発明の実施形態の一例として、ボルトに締付用ナットを締め込み、緩み止を行った状態の縦断面図
【図２】図１の平面図
【図３】図１の側面図
【図４】図１、図２及び図３に組込まれている環状円板の縦断面図
【図５】図４の平面図
【図６】図４の側面図
【発明を実施するための形態】
【０００９】  ねじ込み又は圧入嵌合され、止ねじ６等により下部材２２に植込まれたボルト１の中間鍔７の上に、上部材２０を挿入する空間をあけて締付用ねじ２を設け、更にその上方に締付用ねじの谷径よりやや小径の数本の円周溝付円筒部３及び緩み止め用ねじ４を設ける。
【００１０】  一方締付ナット８には、その上面の相対する２箇所より、ボルトの中心に向う下勾配の傾斜溝９を設け、その締付ナットに載せる環状円板１０には、その底面の相対する２箇所に楔形突出部１２を設け、そしてその外周には多数の菊形の外歯１４を設けた後、その外周及び内周より数ヶ所の切込１５及び１６を設けて、この環状円板に柔軟性を与えて、その底面の楔形突出部が外力によりボルトの中心部に向い僅かに移動しうるようにしておき、締付ナット８を上部材２０の上より強くボルト１に締め込んだ後、環状円板１０をその楔形突出部が締付ナットの傾斜溝９に嵌合するように、締付ナットの上面に載せ、その上より緩み止めナット１７を強く締め込むことにより、環状円板の楔形突出部は締付ナットの傾斜溝に沿うて押下げられ、同時に環状円板本体はボルトの中心に向って少し撓むことにより、楔形突出部もその方向に押出されて、その楔形突出部側面の数本の縦筋刃１３はボルトの円周溝付円筒部３にほぼ直交して食い込まされることにより、ボルトの円周溝付円筒部が破損するか、又は環状円板の楔形突出部の焼入れされた縦筋刃が破損しない限り締付ナットの戻り回転は確実に阻止される。
【００１１】  このとき環状円板の楔形突出部が締付ナットの傾斜溝に嵌合されているため、環状円板の菊形の外歯１４を緩み止めナットの鍔部外周の切溝１９に折り曲げて噛合せることにより、緩み止めナットはこの環状円板を介して締付ナットに固定され、振動等の外力により緩むことは阻止されている。これにより締付ナットの締め力を確実に保持しうるようにする。
【００１２】  この締付ナットを解除するときは、先ず環状円板の菊形の外歯１４の折込を緩み止めナットの鍔部外周の切溝１９より外して、緩み止めナットをボルトよりねじ戻して抜き去る、これにより環状円板はわずかに浮上って、その楔形突出部側面の縦筋刃１３のボルトの円周溝付円筒部３への切込は解除されボルトより取外す、円周溝付円筒部の外形は締付ナットの内径よりやや小径にしているため、締付ナットはねじ戻しに際し損傷を受けることはない、従って締付ナット、環状円板及び緩み止めナットの繰り返し使用は可能である。
【符号の説明】
【００１３】  １・・・ボルト                        ２・・・ボルトの締付用ねじ
３・・・ボルトの円周溝付円筒部        ４・・・ボルトの緩み止め用ねじ
５・・・ボルトの植込部                ６・・・ボルトの植込部の止ねじ
７・・・ボルトの中間鍔                ８・・・締付ナット
９・・・締付ナットの傾斜溝          １０・・・環状円板
１１・・・環状円板の内周孔            １２・・・環状円板の楔形突出部
１３・・・楔形突出部側面の縦筋刃      １４・・・環状円板の菊形の外歯
１５・・・環状円板外周の切込          １６・・・環状円板内周の切込
１７・・・緩み止めナット              １８・・・緩み止めナットの鍔部
１９・・・鍔部外周の切溝              ２０・・・上部材
２１・・・上部材のボルト孔            ２２・・・下部材
【図１】
2018063044.tif 000003
【図２】
2018063044.tif 000004
【図３】
2018063044.tif 000005
【図４】
2018063044.tif 000006
【図５】
2018063044.tif 000007
【図６】
2018063044.tif 000008